(57)【要約】      （修正有）【課題】頻繁な通院を要することなく容易且つ低コストに作成でき、審美的にも優れた入れ歯を提供する。【解決手段】マウスピース用の樹脂材料で形成された土台部１０１と、当該土台部上に載置され、歯茎の色に近い色で着色した疑似歯茎部１０６と、当該疑似歯茎部上に載置され、歯の色に近い色で着色した疑似歯部１０８と、を備え、土台部は、疑似歯茎部よりも歯並び方向の少なくとも一方側に突出した突出部１０２、１０３を有し、この突出部には、既存の歯１０、１２の歯合面１０ａ、１２ａが露出できる露出穴１０２ａ、１０３ａが形成されると共に、露出穴の周りに輪状に残存するリング部１０２ｂ、１０３ｂが既存の歯の歯合面の周りを取り囲んで位置決め固定する構造で入れ歯を構成する。【選択図】図１
2020188924.tif 000002
【特許請求の範囲】
【請求項１】
マウスピース用の樹脂材料で形成された土台部と、
当該土台部上に載置され、歯茎の色に近い色で着色した疑似歯茎部と、
当該疑似歯茎部上に載置され、歯の色に近い色で着色した疑似歯部と、を備え、
前記土台部は、前記疑似歯茎部よりも歯並び方向の少なくとも一方側に突出した突出部を有し、
当該突出部には、既存の歯の歯合面が露出できる露出穴が形成されると共に、当該露出穴の周りに輪状に残存するリング部が既存の歯の歯合面の周りを取り囲んで位置決め固定される
ことを特徴とする使い捨て入れ歯。
【請求項２】
請求項１において、
前記土台部は、透明材料で構成される
ことを特徴とする使い捨て入れ歯。
【請求項３】
請求項１又は２において、
前記突出部は、前記疑似歯茎部よりも歯並び方向両側に設けられ、その両方に露出穴が形成されている
ことを特徴とする使い捨て入れ歯。
【請求項４】
請求項１〜３のいずれかにおいて、
前記疑似歯茎部と前記疑似歯部とは同じ材料で一体成形されると共に、色だけが塗り分けられて構成される
ことを特徴とする使い捨て入れ歯。
【発明の詳細な説明】
【技術分野】
【０００１】
本発明は、入れ歯に関し、特に短期間の使用を想定した使い捨ての入れ歯に関する。
【背景技術】
【０００２】
従来から、欠損した歯を補充する方法として、入れ歯（総入れ歯、部分入れ歯）、ブリッジ、インプラントなど様々な手法が用いられている。その中でも「入れ歯」は最もポピュラーな方法として定着している（非特許文献1を参照）。
【０００３】
しかしながら最もポピュラーな「入れ歯」であっても、その作成には完成までに何度も通院する必要があり、（保険が適用されたとしても）相当程度に高価である。更にメンテナンスも必要となるが、簡便な修理が難しくメンテナンスコストも高価となる傾向にある。
【０００４】
また、入れ歯の安定性を向上させつつ、金属部分が目立たないような種々の工夫も多数行われているが（特許文献１を参照）、そういった工夫がなされた入れ歯になればなる程、より高価となり容易に作成することは難しい。
【先行技術文献】
【特許文献】
【０００５】
【特許文献１】特開２０１７−１５９０７０号公報
【非特許文献１】ぶじさわ歯科クリニック入れ歯のページ（http://www.kawaguchi-shika.com/denture/）
【発明の概要】
【発明が解決しようとする課題】
【０００６】
従来からの入れ歯（総入れ歯、部分入れ歯）、ブリッジ、インプラント等は、ある程度の長期間に渡って使用することを前提に制作されたものである。それ故に制作には慎重を期すことから、複数回の通院が必要となったり、作成コストやメンテナンスコストが高くなるというデメリットが生じている。
【０００７】
また、長期間使用する事による慣れと対局したデメリットも考えられる。慢性疼痛への慣れ、慢性化した義歯性潰瘍。予測される通院困難による不適合のままの使用。自己メンテナンスによる汚染および口腔カンジダ症を始めとする感染症などがその一例である。
【０００８】
そこで本発明は、こういった問題点を解決するべくなされたものであって、頻繁な通院を要することなく容易且つ低コストに作成でき、審美的にも優れた入れ歯を提供する事をその課題としている。
【課題を解決するための手段】
【０００９】
上記課題を解決するべく、本願発明は、マウスピース用の樹脂材料で形成された土台部と、当該土台部上に載置され、歯茎の色に近い色で着色した疑似歯茎部と、当該疑似歯茎部上に載置され、歯の色に近い色で着色した疑似歯部と、を備え、前記土台部は、前記疑似歯茎部よりも歯並び方向の少なくとも一方側に突出した突出部を有し、当該突出部には、既存の歯の歯合面が露出できる露出穴が形成されると共に、当該露出穴の周りに輪状に残存するリング部が既存の歯の歯合面の周りを取り囲んで位置決め固定されることを特徴とする。
【００１０】
発明者は、根本的な発想の転換によって、恰も使い捨てコンタクトレンズのように、短期間の使用を前提とすれば、より簡単且つ低コストで入れ歯を作成できるという着想を得たのである。具体的には、マウスピースを作成するための材料を用いて入れ歯の土台を作り、その土台の上に疑似歯茎部や疑似歯部を載せ、欠損した歯を補充すると共に、隣接して残存する歯に、土台となっているマウスピース材料で輪を作って引っ掛けるようにして固定するのである。更に既存の歯の歯合面は露出しているので、咀嚼等の際の違和感も少なく、「噛み応え」にも影響を与え難い。
【００１１】
土台部はマウスピースと同じ手法で作成できるため、短時間且つ低コストで作ることができる。その上に、形状やサイズを調整しつつ疑似歯茎部や疑似歯部を載置し、隣接して残存する歯の歯合面が露出できる露出穴を形成すれば、本発明にかかる使い捨て入れ歯が完成する。よって、即日中に完成させることも可能であり、低コストでの作成が可能となる。特に既存の歯の歯合面を露出させる露出穴は、土台部を形成した後に行えばよいため土台部の作成が簡単で済み、短時間且つ低コストで作成することに寄与している。
【００１２】
また、前記土台部を、透明材料で構成することが望ましい。
【００１３】
このように構成すれば、入れ歯の存在を目立ち難くさせることができ、審美的に優れた使い捨て入れ歯となる。
【００１４】
また、突出部を、前記疑似歯茎部よりも歯並び方向両側に設け、その両方に露出穴を形成してもよい。
【００１５】
このように構成すれば、より使い捨て入れ歯の安定性が増し、装着感も向上する。
【００１６】
また、疑似歯茎部と前記疑似歯部とは同じ材料で一体成形すると共に、色だけを塗り分けて構成してもよい。
【００１７】
このように構成すれば、より一層の低コスト化を図ることができる。
【発明の効果】
【００１８】
本発明を適用することで、頻繁な通院を要することなく容易且つ低コストに作成でき、審美的にも優れた入れ歯を提供することができる。
【図面の簡単な説明】
【００１９】
【図１】本発明の実施形態の一例を示す使い捨て入れ歯と、装着する歯の関係を示した概略構成図である。
【図２】図１の矢視ＩＩ-ＩＩ線に沿う断面図である。
【図３】使い捨て入れ歯の一例を示す実物写真である。
【発明を実施するための形態】
【００２０】
以下、添付図面を参照しつつ、本発明の実施形態の一例である使い捨て入れ歯１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００２１】
〈使い捨て入れ歯の構成〉
図１に示しているように、本発明の実施形態の一例として示す使い捨て入れ歯１００は、マウスピース用の樹脂材料で形成された土台部１０１（１０２、１０３）と、当該土台部１０１上に載置され、歯茎の色に近い色で着色した疑似歯茎部１０６と、当該疑似歯茎部１０６上に載置され、歯の色に近い色で着色した疑似歯部１０８と、を備える。
【００２２】
土台部１０1は、疑似歯茎部１０６よりも歯並び方向両側に突出した突出部１０２、１０３を有し、当該突出部１０２、１０３には、それぞれ既存の歯１０、１２の歯合面１０ａ、１２ａが露出できる露出穴１０２ａ、１０３ａが形成されている。また、この露出穴１０２ａ、１０３ａの周り（上下の歯が接触しない部位）に輪状に残存するリング部１０２ｂ、１０３ｂは、既存の歯１０、１２の歯合面１０ａ、１２ａの周りを取り囲み、当該使い捨て入れ歯１００を位置決め固定する構造である。特に本発明を適用した土台１０１は、マウスピース用材料で作られており、そこに柔軟性、弾力性のある素材を用いれば、このリング部１０２ａ、１０２ｂが既存の歯１０、１２を弾力によって縛るような効果も発揮され得る。
【００２３】
〈使い捨て入れ歯の造り方〉
【００２４】
最初に、歯の必要部分の型を取り、当該型を用いて、土台部１０２をプレス成形等により作成する。
【００２５】
続いて土台部１０２における歯の欠損相当部分に、疑似歯茎部１０６及び疑似歯部１０８を順番に載置固定していく。なおこの載置固定は、お互いの部材に凹凸を形成して圧着固定するような手法でもよいし、場合によっては接着材など利用して固定する方法であってもよい。もちろんこの時点でも、必要となる位置やサイズを調整しながら行う。
【００２６】
最後に、既存の歯１０、１２の歯合面１０ａ、１２ａを露出させるための露出穴１０２ａ、１０３ａを実際に装着し噛み合せ状況を確認しながら開ける作業を行う。
【００２７】
基本的には、この３つのステップを経て、使い捨て入れ歯１００は完成する。
【００２８】
使い捨て入れ歯１００を装着する際は、当該使い捨て入れ歯１００を相当位置に置いて軽く数回噛む（圧接する）だけで完了する。注意すべき点としては、既存の歯１０、１２の歯合面１０ａ、１２ａが、それぞれ突出部１０２、１０３に形成されている露出穴１０２ａ、１０３ａの位置と合っており、正確に歯合面１０ａ、１２ａが露出しているかを確認する必要がある。位置が正確に合っていない場合はリング部１０２ｂ、１０３ｂを噛むことに繋がり、リング部１０２ｂ、１０３ｂの耐久性を著しく低下させてしまうことになってしまう。
【００２９】
上述の通り、本願発明は、マウスピース用の樹脂材料で形成された土台部１０１と、当該土台部１０１上に載置され、歯茎の色に近い色で着色した疑似歯茎部１０６と、当該疑似歯茎部１０６上に載置され、歯の色に近い色で着色した疑似歯部１０８と、を備え、土台部１０１は、疑似歯茎部１０６よりも歯並び方向の少なくとも一方側に突出した突出部１０２、１０３を有し、この突出部１０２、１０３には、既存の歯１０、１２の歯合面１０ａ、１２ａが露出できる露出穴１０２ａ、１０３ａが形成されると共に、露出穴１０２ａ、１０３ａの周りに輪状に残存するリング部１０２ｂ、１０３ｂが既存の歯１０、１２の歯合面１０ａ、１２ａの周りを取り囲んで位置決め固定される構造であった。
【００３０】
土台部１０１はマウスピースと同じ手法で作成できるため、短時間且つ低コストで作ることができる。その上に、形状やサイズを調整しつつ疑似歯茎部１０６や疑似歯部１０８を載置し、隣接して残存する歯１０、１２の歯合面１０ａ、１２ａが露出できる露出穴１０２ａ、１０３ａを形成すれば、本発明にかかる使い捨て入れ歯１００が完成する。よって、即日中に完成させることも可能であり、低コストでの作成が可能となる。特に既存の歯１０、１２の歯合面１０ａ、１２ａを露出させる露出穴１０２ａ、１０３ａは、土台部１０１を形成した後に行えばよいため土台部１０１自体の作成が簡単で済み、短時間且つ低コストで作成することに大きく寄与している。
【００３１】
また土台部１０１を、透明材料で構成すれば、入れ歯の存在を目立ち難くさせることができ、審美的に優れた使い捨て入れ歯となる。
【００３２】
また、突出部１０２、１０３を、疑似歯茎部よりも歯並び方向両側に設けているので、より使い捨て入れ歯１００の安定性が増し、装着感も向上する。
【００３３】
また、疑似歯茎部１０６と疑似歯部１０８とを同じ材料で一体成形すると共に、色だけを塗り分けて構成すれば、より一層の低コスト化を図ることができる。
【００３４】
なお、本明細書及び特許請求の範囲において示している、「既存の歯」とは、人体にもともと備わっている自然の歯が該当することは勿論であるがこれに限らず、例えばインプラント等によって人体に固定されている疑似歯であってもよい、要するに人体側に強固に固定されている構造物であればよく、自然の歯だけに限定されるものではない。
【００３５】
また、土台部１０１、疑似歯茎部１０６及び疑似歯部１０８を例えば３Ｄプリンタ技術を用いて製造することも可能である。
【符号の説明】
【００３６】
８・・・歯茎
１０、１２・・・既存の歯
１００・・・使い捨て入れ歯
１０１・・・土台部
１０２、１０３・・・突出部
１０２ａ、１０３ａ・・・露出穴
１０２ｂ、１０３ｂ・・・リング部
１０６・・・疑似歯茎部
１０８・・・疑似歯部
【図１】
2020188924.tif 000003
【図２】
2020188924.tif 000004
【図３】
2020188924.tif 000005
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
マウスピース用の樹脂材料を用いてマウスピースを作るように土台部を形成した後、
当該土台部上に歯茎の色に近い色で着色した疑似歯茎部を載置し、
更に、当該疑似歯茎部上に歯の色に近い色で着色した疑似歯部を載置し、
前記土台部における前記疑似歯茎部よりも歯並び方向の少なくとも一方側に突出した突出部に、噛み合わせを確認しながら既存の歯の歯合面が露出できる露出穴を形成することによって、当該露出穴の周りに輪状に残存するリング部を形成する
ことを特徴とする使い捨て入れ歯の製造方法。